(57)【要約】【課題】個人情報や測定結果に影響を与える設定情報に権限を有しない者がアクセスすることをより確実に防止する自動分析装置を提供する。【解決手段】被検者から提供された被検試料と試薬とを測定項目に応じて分注して撹拌し、被検試料に含まれる化学成分を分析することで測定結果を得る自動分析装置１は、操作者の着席及び離席を検知する検知手段（受光部２３と発光素子２４）を有する。そして、表示部１６がこの自動分析装置１に記憶されている個人情報や自動分析装置１の測定条件である設定情報を表示しているときに、該検知手段が操作者の離席を検知すると、この画面を非表示にする。【選択図】図４
2010181266.tif 000002
【特許請求の範囲】
【請求項１】
被検者から提供された被検試料と試薬とを測定項目に応じて分注して撹拌し、被検試料に含まれる化学成分を分析することで測定結果を得る自動分析装置であって、
操作手段と、
前記被検者に関する情報と前記測定結果とからなる個人情報を記憶する記憶部と、
前記操作手段を用いた操作に応じて選択的に、前記測定項目を登録する第１の画面、被検試料の処理段階を表示する第２の画面、又は前記個人情報を表示する第３の画面を少なくとも表示する表示手段と、
操作者の着席及び離席を検知する検知手段と、
前記表示手段が前記第３の画面を表示しているときに、前記検知手段が前記操作者の離席を検知すると、前記第３の画面を非表示にさせる表示制御手段と、
を備えること、
を特徴とする自動分析装置。
【請求項２】
前記表示制御手段は、
前記検知手段が前記操作者の着席を検知し、前記操作手段を用いて前記第３の画面の表示が指示されると、前記表示手段に認証画面を表示させること、
を特徴とする請求項１記載の自動分析装置。
【請求項３】
前記検知手段は、
操作者が着席したときの体軸に交差する直線上に配置される発光素子と受光部であること、
を特徴とする請求項１又は２記載の自動分析装置。
【発明の詳細な説明】
【技術分野】
【０００１】
本発明は、被検試料と試薬とを分注して撹拌し、被検試料に含まれる化学成分を分析する自動分析装置に関し、特に測定結果を含む個人情報や測定結果に影響を与える設定情報に権限を有しない者がアクセスすることを防止する自動分析装置する。
【背景技術】
【０００２】
自動分析装置は、被検試料と試薬とを反応管に分注してその混合液の反応を分析する装置である。生化学検査項目や免疫血清検査項目を測定項目とし、反応管に血清や尿等の被検試料と試薬とを測定項目に応じて分注する。そして、これらを撹拌して反応させた後、透過光を用いて色の濃度の変化を測定することにより検体中の被測定物質の濃度や酵素の活性を測定する。
【０００３】
この自動分析装置は、被検試料と試薬の搬送、分注、混合、測定、反応管等の洗浄等を行う各ユニットを有し、メモリに記憶されている設定情報や測定項目情報を参照して各ユニットの駆動を制御することで、被検試料の分析を行う。そして、自動分析装置は、その分析結果を測定結果データとして、その主体を示す測定項目情報と結びつけて記憶し、要求に応じてモニタ等に出力している。
【０００４】
設定情報は、各ユニットの駆動量や動作条件等の自動分析装置の振る舞いを決定付ける情報であり、設定情報の変更は測定結果に関わるため、権限を有する者以外が閲覧又は変更することは好ましくない。
【０００５】
また、測定項目情報は、被検者の氏名、ＩＤ、及び年齢で示される被験者情報と、その被験者情報で示される被験者が提供した被検試料の測定項目を含む。測定項目情報と測定結果データとを結びつけた情報とは、被検者の氏名、ＩＤ、及び年齢と、測定項目毎の測定結果とを対応付けた情報である。
【０００６】
測定項目情報単体、又は測定結果データ単体では、直ちにその被検者の健康状態が認識できるわけではなく保護されるべき情報とはいえないが、測定項目情報と測定結果データとが結びついた情報は、保護されるべき個人情報であり、権限を有する者以外が閲覧できることは好ましくない。
【０００７】
従って、例えば、これらの設定情報や個人情報には、パスワードや生体情報のような認証キーによって、管理者のような権限を持った者として認証されなければ、アクセスできないような仕組みが考えられる（例えば、特許文献１参照。）。
【０００８】
しかし、このようなアクセスコントロールの手法では、この管理者がこれら設定情報屋個人情報を閲覧可能な画面を表示したまま離席した場合に、権限を有しない者がこの画面を盗み見ることが可能となってしまう。
【０００９】
そこで、操作が一定時間行われなければ、自動的に設定情報や個人情報を表示する画面を閉じる又は非表示にするという仕組みを併用することが考えられる。
【００１０】
しかし、このようなアクセスコントロールの手法を併用しても一定時間が経過する前であれば、権限を有しない者がこの画面を盗み見ることが可能となるため、十分なアクセスコントロールが行われているとはいえない。
【先行技術文献】
【特許文献】
【００１１】
【特許文献１】特開２００３−５０２４２号公報
【発明の概要】
【発明が解決しようとする課題】
【００１２】
本発明は、上記事情に鑑みてなされたものであり、その目的とするところは、個人情報や測定結果に影響を与える設定情報に権限を有しない者がアクセスすることをより確実に防止する自動分析装置を提供することにある。
【課題を解決するための手段】
【００１３】
上記課題を解決するために、請求項１記載の発明は、被検者から提供された被検試料と試薬とを測定項目に応じて分注して撹拌し、被検試料に含まれる化学成分を分析することで測定結果を得る自動分析装置であって、操作手段と、前記被検者に関する情報と前記測定結果とからなる個人情報を記憶する記憶部と、前記操作手段を用いた操作に応じて選択的に、前記測定項目を登録する第１の画面、被検試料の処理段階を表示する第２の画面、又は前記個人情報を表示する第３の画面を少なくとも表示する表示手段と、操作者の着席及び離席を検知する検知手段と、前記表示手段が前記第３の画面を表示しているときに、前記検知手段が前記操作者の離席を検知すると、前記第３の画面を非表示にさせる表示制御手段と、を備えること、を特徴とする。
【００１４】
前記表示制御手段は、前記検知手段が前記操作者の着席を検知し、前記操作手段を用いて前記第３の画面の表示が指示されると、前記表示手段に認証画面を表示させるようにしてもよい（請求項２記載の発明に相当）。
【００１５】
前記検知手段は、操作者が着席したときの体軸に交差する直線上に配置される発光素子と受光部であるようにしてもよい（請求項３記載の発明に相当）。
【発明の効果】
【００１６】
本発明によれば、操作者の離席を検知すると、表示している個人情報や設定情報の画面を自動的に閉じることができるので、当該画面を閉じ忘れた場合であっても、これら情報にアクセスする権限を有しない者に閲覧されてしまうことを防止できる。
【図面の簡単な説明】
【００１７】
【図１】自動分析装置の概略構成を示すブロック図である。
【図２】操作端末の配置を示す側面図である。
【図３】操作端末の配置を示す背面図である。
【図４】操作端末の詳細構成を示すブロック図である。
【図５】自動分析装置の操作端末のアクセスコントロール処理を示すフローチャートである。
【図６】結果確認画面が表示され、且つ権限所有者が着席しているときの画面表示制御を説明する模式図である。
【図７】結果確認画面が表示されている場合に権限所有者が離席したときの画面表示制御を説明する模式図である。
【図８】権限所有者の離席により結果確認画面が閉じられているときに操作者が着席したときの画面表示制御を説明する模式図である。
【発明を実施するための形態】
【００１８】
以下、本発明に係る自動分析装置の好適な各実施形態について、図面を参照しながら詳細に説明する。
【００１９】
図１に示す自動分析装置１は、被検試料に含まれる化学成分を分析する装置であり、被検試料と試薬とを分注してその混合液の反応を分析し、分析結果を出力する。被検試料は、分析対象であり、例えば血清や尿等である。試薬は、被検試料の目的の化学成分を反応させる薬品である。
【００２０】
この自動分析装置１は、主に分析部１１、分析制御部１２、データ処理部１３、及び操作端末１４を備える。
【００２１】
分析部１１は、被検試料と試薬の分注、分注された溶液の撹拌、混合液の反応の分析等を行う各ユニットで構成され、その各ユニットが駆動することにより、被検試料と試薬とを分注してその混合液の反応を分析する。分析制御部１２は、各ユニットのコントローラや駆動モータ等で構成され、設定情報を参照しながら分析部１１を構成する各ユニットの駆動を制御する。データ処理部１３は、主に演算制御装置（ＣＰＵ：Central Processing Unit）を含み構成され、分析部１１から出力された測定結果データを演算処理して検量線データや分析データを生成する。
【００２２】
操作端末１４は、所謂コンピュータであり、測定結果データ、検量線データ、及び分析データといった測定結果に関わる情報を記憶し、また操作に応じた画面を表示する。この操作端末１４は、被検試料の提供元である患者の個人情報も記憶しており、測定結果に係る情報を記憶する際には、この個人情報と関連づけて記憶する。また、分析制御部１２が制御のために参照する設定情報を操作に応じて作成して記憶する。この操作端末１４を操作するためには、ユーザ名及び認証キーの組み合わせでアクセスコントロールされたシステムにログインする必要がある。
【００２３】
図２は、操作端末１４の配置を示す側面図であり、図３は、操作端末１４の配置を示す背面図である。
【００２４】
図２及び図３に示すように、自動分析装置１は、操作端末１４に着席する者を検知する検知手段を有している。この検知手段は、操作端末１４と信号線で接続された受光部２３と、この受光部２３に対向配置された発光素子２４である。発光素子２４は、例えば赤外線等の光線を出射する。出射する光線は、可視光線であっても非可視光線であってもよい。また、検知手段は、この受光部２３と発光素子２４以外にも、例えば着席した者の圧力を検知する圧電センサ或いは重量センサであってもよい。
【００２５】
受光部２３は、この発光素子２４から出射された光線を受光すると、例えばＨｉレベルの信号を出力し、この発光素子２４から出射された光線を受光していないと、例えば出力する信号をＬｏレベルにする。
【００２６】
この発光素子２４と受光部２３とは、自動分析装置１を操作するために着席した操作者が、発光素子２４と受光部２３とを結ぶ直線に介入するように配置される。例えば、発光素子２４は天井側に取り付けられ、受光部２３は床側に取り付けられ、それらを結ぶ直線は、操作者が着席する椅子の座面上方を横切る。即ち、操作者の体軸に対して交差する直線上に発光素子２４と受光部２３とが対向は位置される。操作者を検知し易くするためであり、人体は、体軸方向の断面積よりも側面方向の断面積のほうが大きいからである。
【００２７】
この検知手段の配置では、操作者の離席は、発光素子２４からの光線を受光部２３が受光して、Ｈｉレベルの信号が出力されることにより検知される。また、操作者の着席は、発光素子２４が出射した光線が受光部２３に届かないことにより、Ｌｏレベルの信号が出力されることにより検知される。
【００２８】
図４は、操作端末１４の詳細構成を示すブロック図である。操作端末１４は、画面生成部１５と表示部１６と個人情報記憶部１７と設定情報記憶部１８とシステム制御部１９と入力部２０と入力制御部２１と受光状態確認部２２とを備えている。受光状態確認部２２と受光部２３とは、信号線で接続されている。
【００２９】
画面生成部１５は、各種の画面を生成し、表示部１６に表示させる。表示部１６は、液晶ディスプレイ、ＣＲＴディスプレイ、及び有機ＥＬディスプレイ等のモニタである。画面生成部１５が生成する画面は、認証画面、被検試料登録画面、制御画面、被検試料ステータス画面、結果確認画面等である。各画面は、画面の切り替え又はマルチウィンドウで生成される。
【００３０】
認証画面は、結果確認画面や設定登録画面を表示させるためのユーザ名及び認証キーの組み合わせを入力させる画面である。認証画面で入力させる認証キーは、例えばパスワードや、指紋、静脈、虹彩、顔貌、又は掌形等の生体情報である。これら認証キー及びユーザ名は、入力部２０を用いて入力制御部２１を介して入力される。入力部２０は、パスワードの入力に用いられるマウスやキーボード、又は生体情報の入力に用いられるカメラやスキャナである。入力制御部２１は、Ｉ／Ｏインターフェースである。
【００３１】
被検試料登録画面は、分析する被検試料を登録する画面である。この画面では、入力部２０を用いて入力された被検者の氏名やＩＤや被検試料に対する測定項目といった測定項目情報、及び開始ボタンが表示される。入力部２０のマウスを用いて開始ボタンが押下されると、表示されている被検試料の分析が開始される。測定項目情報は、入力部２０のマウスやキーボードを用いて操作端末１４に入力され、個人情報記憶部１７に記憶される。
【００３２】
制御画面は、自動分析装置１を制御する各種の設定情報を登録する画面である。設定情報は、入力部２０を用いて入力制御部２１を介して入力され、設定情報記憶部１８に記憶される。
【００３３】
被検試料ステータス画面は、被検試料のステータスを表示する画面である。被検試料のステータスは、被検試料登録画面で登録された被検試料の分析開始が指示されたか、分析が始まったか、分析終了か等を示す。
【００３４】
結果確認画面は、分析結果を表示する画面である。分析結果は、被検試料登録画面で登録された測定項目情報と、測定結果データ、検量線データ、及び分析データといった結果データが結びつけられて表示される。これら結びつけられたデータ、即ち個人情報は、権限のない者に閲覧をさせてはならない保護を要する情報である。結果データは、分析部１１又はデータ処理部１３から操作端末１４に入力され、測定項目情報に関連づけられて個人情報記憶部１７に記憶される。
【００３５】
画面生成部１５は、この個人情報記憶部１７から個人情報を読み出して予め記憶されているフォーマットに配置することで結果確認画面を生成する。また、画面生成部１５は、この設定情報記憶部１８から設定情報を読み出して予め記憶されているフォーマットには位置することで制御画面を生成する。また、画面生成部１５は、システム制御部１９から出力される信号に応答して、各種画面の生成及び表示部１６への出力を行う。
【００３６】
システム制御部１９は、分析制御部１２等の各ユニットの統合制御を行う統合制御手段であり、また個人情報及び設定情報の表示をコントロールする表示制御手段である。
【００３７】
システム制御部１９は、統合制御のために統合制御部１９ａを有する。この統合制御部１９ａを有するシステム制御部１９は、分析制御部１２に対して、設定情報記憶部１８に記憶されている設定情報を出力して、設定情報に従って分析部１１の駆動を行わせる。画面生成部１５に対しては、表示部１６に表示させる画面の種類を示す信号、個人情報画面を表示させる際に読み出す個人情報を特定するための信号を出力する。
【００３８】
また、システム制御部１９は、表示制御手段として、表示判断部１９ｂ、受光判断部１９ｃ、及び照合部１９ｄを有する。このシステム制御部１９は、操作者が開こうとしている若しくは開いている画面の種類、受光状態確認部２２から出力される受光部２３の受光状態信号の種類、及びユーザ名及び認証キーの照合結果に応じて、画面の表示を制御する。
【００３９】
特に、このシステム制御部１９は、保護される情報として取り扱われるべき個人情報、即ち測定項目情報と結果データとを結びつけた情報を表示する結果確認画面が開かれようとしている若しくは開いているときに表示制御手段として機能する。
【００４０】
このとき、照合部１９ｄとして、システム制御部１９は、予め、権限情報を記憶しており、この権限情報にユーザ名と認証キーの組み合わせが登録されているかを検索する。
【００４１】
受光判断部１９ｃとして、システム制御部１９は、受光状態確認部２２から受光状態信号を受け取る。受光状態確認部２２は、受光判断部１９ｃたるシステム制御部１９が出力する確認信号に応じて、受光部２３の受光状態信号をシステム制御部１９に出力する。受光状態確認部２２は、信号の立ち上がりを受けると、受光を示す受光信号の出力にセットされ、信号がたち下がると受光していないことを示す信号を遮蔽信号の出力にセットされる。そして、確認信号を受けてセットされた種類の受光状態信号を出力する。
【００４２】
表示判断部１９ｂとしては、システム制御部１９は、操作者が開こうとしている若しくは開いている画面の種類、受光状態確認部２２から出力される受光部２３の受光状態信号の種類、及びユーザ名及び認証キーの照合結果の組み合わせに応じて、以下の処理を行う。
【００４３】
第１に、システム制御部１９は、遮蔽信号を受けた後に受光信号を受けると、画面生成部１５を制御して、表示部１６が結果確認画面を表示していれば、当該結果確認画面を非表示にさせる。非表示の態様としては、個人情報が閲覧できない状態であれば、結果確認画面を閉じさせる、結果確認画面上の個人を特定できる名前等の情報だけを非表示する等の各種態様を用いてもよい。
【００４４】
第２に、このシステム制御部１９は、遮蔽信号を受けた状態で、結果確認画面の表示要求を入力制御部２１から受けると、認証画面を表示させ、ユーザ名及び認証キーの入力を待つ。更に、このシステム制御部１９は、認証キーの入力待ちの状態で、ユーザ名及び認証キーの入力を受けると、権限情報で照合を行い、操作者が権限を有する者と判断すれば、画面生成部１５を制御して、表示部１６に結果確認画面を表示させる。
【００４５】
第３に、このシステム制御部１９は、受光信号を受けた後に認証キーの入力があると、画面生成部１５を制御して、表示部１６に警告画面を表示させる。警告画面は、「正しく席の前に座るか、起立すること」を求めるメッセージを表示する画面である。
【００４６】
このような操作端末１４のアクセスコントロールの動作について図５に基づき説明する。
【００４７】
まず、自動分析装置１が起動されると、システム制御部１９は、表示部１６に各種の画面に遷移するための操作ボタンを表示させる（Ｓ０１）。
【００４８】
このＳ０１において、システム制御部１９は、画面生成部１５に各種の操作ボタンを配置した画面を生成させ、表示部１６に出力させる。
【００４９】
この状態で、システム制御部１９は、受光状態信号を確認する（Ｓ０２）。
【００５０】
このＳ０２において、システム制御部１９は、受光状態確認部２２に確認信号を出力する。受光状態確認部２２は、確認信号を受けて、受光信号又は遮蔽信号を示す受光状態信号をシステム制御部１９に出力する。
【００５１】
システム制御部１９は、この受光状態信号の確認を、ポーリングや割り込みにより一定間隔毎に行う。一定間隔は、例えば、個人情報や設定情報にアクセス権限を有する操作者が離席してから、権限のない者が目を盗んで着席するのを防ぐのに適当な時間である。
【００５２】
受光状態信号が遮蔽信号である場合において、入力部２０を用いて結果確認画面及び制御画面以外の起動ボタンが押下されると（Ｓ０３）、システム制御部１９は、押下された起動ボタンに対応する画面を表示部１６に表示させる（Ｓ０４）。
【００５３】
起動ボタンは、Ｓ０１で表示される操作ボタンの一種である。結果確認画面以外とは、被検試料登録画面及び被検試料ステータス画面等である。システム制御部１９は、押下された起動ボタンに対応する画面の生成を画面生成部１５に指示し、画面生成部１５は、指示された画面を生成して表示部１６に出力する。
【００５４】
また、入力部２０を用いて結果確認画面及び制御画面の起動ボタンが押下されると（Ｓ０５）、システム制御部１９は、まず押下された起動ボタンに対応する結果確認画面又は制御画面を表示済みであるか確認する（Ｓ０６）。表示済みである場合には（Ｓ０６，Ｙｅｓ）、起動ボタンの押下に対する処理は実行せず、Ｓ０２の一定間隔毎の受光状態信号の確認に戻る。表示していなければ（Ｓ０６，Ｎｏ）、システム制御部１９は、ユーザ認証済みであるか確認する（Ｓ０７）。ユーザ認証済みの場合には（Ｓ０７，Ｙｅｓ）、押下された起動ボタンに対応する結果確認画面又は制御画面を表示部１６に表示させる。
【００５５】
Ｓ０６において、表示済みかの確認は、例えば表示を指示した画面を示す情報を記憶しておき、その情報が存在するか確認するようにしてもよい。また、Ｓ０７において、ユーザ認証済みであるかの確認は、認証済みのユーザを示す情報を記憶しておき、その情報が存在するか確認するようにしてもよい。Ｓ０７において、ユーザ認証済みである場合とは、ユーザ認証後よりＳ０２において遮蔽信号を受け取り続けている状況下を指す。
【００５６】
システム制御部１９は、ユーザ認証がされていない場合には（Ｓ０７，Ｎｏ）、認証画面を表示部１６に表示させる（Ｓ０８）。具体的には、システム制御部１９は、画面生成部１５に認証画面を生成させ、表示部１６に出力させる。
【００５７】
認証画面が表示され、操作者が入力部２０を用いてユーザ名と認証キーを入力すると（Ｓ０９）、システム制御部１９は、受光状態信号を受け取り、遮蔽信号が入力されているか確認する（Ｓ１０）。
【００５８】
Ｓ１０において、システム制御部１９は、受光状態確認部２２に確認信号を出力する。受光状態確認部２２は、確認信号を受けて、受光信号又は遮蔽信号を示す受光状態信号をシステム制御部１９に出力する。
【００５９】
システム制御部１９は、遮蔽信号を受け取らず、受光信号を受け取っていれば（Ｓ１０，Ｎｏ）、端末の前に正しく立つか座るかする旨のメッセージを表示部１６に表示させる（Ｓ１１）。
【００６０】
一方、システム制御部１９は、遮蔽信号を受け取っていれば（Ｓ１０，Ｙｅｓ）、ユーザ認証を行う（Ｓ１２）。
【００６１】
Ｓ１２において、システム制御部１９は、入力されたユーザ名と認証キーとの組み合わせが権限情報に登録されているか確認する。さらに登録されていれば、権限情報に登録されているユーザ名には、押下された起動ボタンに対応する結果確認画面又は制御画面に対するアクセス許可が設定されているか確認する。
【００６２】
システム制御部１９は、ユーザ認証がされなければ（Ｓ１２，Ｎｏ）、アクセスを拒否する旨のメッセージを表示部１６に表示させる（Ｓ１３）。
【００６３】
Ｓ１２において、ユーザ認証がされないとは、入力されたユーザ名と認証キーとの組み合わせが権限情報に登録されていないか、アクセス許可が設定されていないかである。
【００６４】
システム制御部１９は、ユーザ認証がされれば（Ｓ１２，Ｙｅｓ）、押下された起動ボタンに対応する結果確認画面又は制御画面を表示部１６に表示させる（Ｓ１４）。
【００６５】
Ｓ１２において、ユーザ認証がされたとは、入力されたユーザ名と認証キーとの組み合わせが権限情報に登録されており、且つアクセス許可が設定されている場合である。
【００６６】
Ｓ１４において、システム制御部１９は、画面生成部１５に結果確認画面又は制御画面の生成を指示する。画面生成部１５は、個人情報記憶部１７から個人情報を読み出して結果確認画面を生成し、又は設定情報記憶部１８から設定情報を読み出して制御画面を生成し、生成した画面を表示部１６に出力する。
【００６７】
Ｓ０２に戻り、受光状態信号の確認において、システム制御部１９には、受光信号が入力された場合には（Ｓ１５）、システム制御部１９は、結果確認画面又は制御画面が開かれているか確認する（Ｓ１６）。開かれているとは、換言すると表示を指示したことを指す。システム制御部１９は、例えば表示を指示した画面を示す情報を記憶しておき、その情報が存在するか確認するようにしてもよい。つまり、結果確認画面や制御画面の上に他の画面が重ねて表示された結果、結果確認画面や制御画面が表示部１６から視認できなくとも、結果確認が面又は制御画面は開かれていることとなる。
【００６８】
結果確認画面又は制御画面が開かれていない場合には（Ｓ１６，Ｎｏ）、Ｓ１７以降の処理は行わず、Ｓ０２の一定間隔毎の受光状態信号の確認に戻る。
【００６９】
一方、結果確認画面又は制御画面が開かれている場合には（Ｓ１６，Ｙｅｓ）、システム制御部１９は、ユーザ認証を無効にし（Ｓ１７）、結果確認画面及び制御画面のうちの開かれている画面を閉じる（Ｓ１８）。
【００７０】
Ｓ１７において、システム制御部１９は、ユーザ認証の無効については、認証済みのユーザを示す情報を消去する。Ｓ１８において、システム制御部１９は、画面生成部１５に指示した結果確認画面又は制御画面若しくはその両方の生成指示を取り消す。
【００７１】
Ｓ０１〜Ｓ１８におけるシステム制御部１９の処理は、システムが起動されている間は繰り返される。
【００７２】
この自動分析装置１の作用について図６乃至図８に基づき説明する。
【００７３】
図６に示すように、操作者が着席している間は、発光素子２４から出射した光線が操作者により遮蔽されて受光部２３には届かない。この状態で、結果確認画面を起動する起動ボタンである結果確認ボタンＢ１が押下されると、表示部１６には、結果確認画面として、各被検試料の測定結果の一覧が表示される。この一覧には、患者の氏名、ＩＤ、及び年齢等の被験者情報ＰＩと、各測定項目の測定結果ＭＲとが横に並べられている。
【００７４】
尚、表示部１６には、操作ボタンとして、結果確認ボタンの他、測定項目情報や被検試料のステータスを表示する画面を起動する依頼登録ボタンＢ２、設定情報を表示する制御画面を起動する測定条件ボタンＢ３、測定結果データが安定しているかを表示する画面を起動する精度管理ボタンＢ４、試薬の情報を表示する画面を起動する試薬ボタンＢ５、検量線を表示する画面を起動する検量線ボタンＢ６、及び測定を開始させる測定ボタンＢ７が配置される。また、画面を表示すると、その画面を閉じるための閉じるボタンＢ８が配置される。
【００７５】
図７に示すように、結果確認画面が開かれている状況で操作者が離席すると、受光部２３は発光素子２４から出射された光線を受光するため、結果確認画面が閉じられる。制御画面が開かれている状況でも同様の結果となる。
【００７６】
図８に示すように、アクセス権限のある者が離席することによって結果確認画面が閉じられた状態では、何者かが着席して結果確認画面を表示させるべく結果確認ボタンＢ１を押下しても、認証画面ＣＳが表示されるため、この者がアクセス権限所有者でなければ、表示させることはできない。
【００７７】
尚、結果確認画面が開かれている状況で更に別の画面を起動すると、結果確認画面の上にその画面が表示される。この状況でも操作者が離席すれば、その画面の下にある結果確認画面は閉じられる。制御画面が開かれている状況でも同様の結果となる。
【００７８】
一方で、結果確認画面及び制御画面以外の画面が開かれている状況で操作者が離席しても、その開かれている画面が閉じられることはない。
【００７９】
このように、本実施形態の自動分析装置１は、操作者の着席及び離席を検知する検知手段を有し、被検者情報と測定結果データとからなる個人情報や自動分析装置１の測定条件である設定情報を表示しているときに検知手段が操作者の離席を検知すると、表示している個人情報や設定情報の画面を閉じるようにした。これにより、個人情報や設定情報を表示する画面を閉じ忘れた場合であっても、これら情報にアクセスする権限を有しない者に閲覧されてしまうことを防止できる。
【符号の説明】
【００８０】
１      自動分析装置
１１    分析部
１２    分析制御部
１３    データ処理部
１４    操作端末
１５    画面生成部
１６    表示部
１７    個人情報記憶部
１８    設定情報記憶部
１９    システム制御部
１９ａ  統合制御部
１９ｂ  表示判断部
１９ｃ  受光判断部
１９ｄ  照合部
２０    入力部
２１    入力制御部
２２    受光状態確認部
２３    受光部
２４    発光素子
【図１】
2010181266.tif 000003
【図２】
2010181266.tif 000004
【図３】
2010181266.tif 000005
【図４】
2010181266.tif 000006
【図５】
2010181266.tif 000007
【図６】
2010181266.tif 000008
【図７】
2010181266.tif 000009
【図８】
2010181266.tif 000010